(57)【要約】【課題】            ズボンの裾の後部を靴の踵の部分で踏み付けることのない水作業用作業衣を提供する。【解決手段】        水作業用作業衣のズボンにおいて、ズボンの裾の後部の長さが、着用した時ズボンの長さが着用者に合った裾丈を基準として、前部より短くなっている。これは前部より後部に傾斜状に連続して順次短くなっているのが好ましい。【選択図】          図１
0003101706.tif 000002
【実用新案登録請求の範囲】
【請求項１】
水作業用作業衣のズボンにおいて、ズボンの裾の後部の長さが、前部より短くなっていることを特徴とする水作業用作業衣。
【請求項２】
水作業用作業衣のズボンにおいて、ズボンの裾の後部の長さが、前部より後部に傾斜状に連続して順次短くなっていることを特徴とする請求項１記載の水作業用作業衣。
【考案の詳細な説明】
【技術分野】
【０００１】
この考案は、漁師や水産関係業者及び農業、土木工事など、水に濡れる作業に従事する者が着用する水作業用作業衣に関する。
【背景技術】
【０００２】
漁師や水産関係業者などの水に濡れる作業に従事する者が着用する作業衣としてオーバーズボンがある。このオーバーズボンは、従来、図５（ａ）（ｂ）に示すようなズボン１１と、胸当て部１２と、１対の肩かけベルト１３とで構成されている形態が一般的であり、ズボン１１には膝当て部１４が設けられているものも多い。従来のこのようなオーバーズボンのズボン１１の裾１５は、全て同じ長さとなっている。図５（ａ）は正面を示し、（ｂ）は背面を示しているが、このようにズボン１１の裾１５は、前部も後部も同じ長さである（例えば、特許文献１参照）。
【特許文献１】特許第２９０８３０６号公報
【考案の開示】
【考案が解決しようとする課題】
【０００３】
解決しようとする問題点は、従来のオーバーズボンのような水作業用作業衣のズボンの裾の長さは、全て同じ長さであるので、図６および図７に示すようにズボン１１の裾１５の後部１５ａを靴１６の踵１７の部分で踏んでしまう事態が生ずることである。この原因にはズボンの長さが合わなくても作業衣の材質がズボンの裾直しに不向きであり、簡単に裾直しができないこと、水作業のためズボンに伸縮が生ずること、および作業の性質上、立ったり座ったり及び屈んだりするためズボンがずり下がり易く、かつ下がっても手が作業中のためふさがっていたり、手が水で濡れているため、上げ直し難い、等が考えられる。
ズボン１１の裾１５の後部１５ａを靴１６の踵１７の部分で踏み付けることは、ズボン１１の裾１５を損傷するばかりでなく、転倒する原因にもなり危険である。特に、船上での作業では危険である。
【０００４】
この考案は、このような課題に鑑み前記課題を解決せんと提案されてものであり、その目的は、ズボンの裾の後部を、靴の踵の部分で踏むことのない水作業用作業衣の提供にある。
【課題を解決するための手段】
【０００５】
この考案の水作業用作業衣は、水作業用作業衣のズボンにおいて、ズボンの裾の後部の長さが、前部より短くなっていることを特徴とする。
これによりズボンの裾の後部を、靴の踵の部分で踏みつけることが防止される。
また、この考案の水作業用作業衣は、水作業用作業衣のズボンにおいて、ズボンの裾の後部の長さが、前部より後部に傾斜状に連続して順次短くなっていることを特徴とする。
これにより前記効果の他に違和感を与えずズボンの裾の後部の長さを短くできる。ここでの前部より後部に傾斜状に連続して順次短くするとは、ズボンの裾の中間（側部）より後部にかけて傾斜状に連続して順次短くなる場合も含む。
【０００６】
この考案での水作業用作業衣は、オーバーズボンのように着衣の上から着用するものだけでなく、下着上に着用するものも含む。
また、この考案でズボンの前部とは、着用したとき、着用者の前側に位置する部分を指し、後部とは着用したとき着用者の後側に位置する部分を指す。
【考案の効果】
【０００７】
この考案の水作業用作業衣によれば、ズボンの裾の長さが、前部より後部が短くなっているので、裾の後部を靴の踵の部分で踏み付けること無く、ズボンの裾の後部を損傷することが防止されるし、ズボンの裾の後部を踏み付けて転倒することも防止される。
ズボンの裾は、前部よりまたは前部と後部の中間より後部にかけて傾斜状に連続して順次短くすると、見た目に違和感を与えることなく短くできる。
【考案を実施するための最良の形態】
【０００８】
以下、この考案を図面に示す実施の形態について詳細に説明する。図１はこの考案の実施の形態を示す後方より見た傾斜図、図２はこの考案の実施の形態を示す前方より見た斜視図、図３はズボンの裾部分を示す拡大側面図、図４は使用状態のズボンの裾部分を示す拡大側面図である。この実施の形態では、水作業用作業衣としてオーバーズボンの場合で示している。
【０００９】
このオーバーズボン１は、ズボン本体２とズボン本体２の上端４の前部に設けられた胸当て部６と、ズボン本体２の上端４の後部に設けられた背当て部７と、この胸当て部６と背当て部７とに係止された１対の肩かけベルト８とで大略構成されている。ズボン本体２、胸当て部６および背当て部７の材質は、特に制限されるものではなく、従来公知のものを採用し得る。従来から防水性のもので、ある程度の伸縮性を有するものが使用されている。ここで、前部とは、着用したとき、着用者の前側に位置する部分を指し、後部とは着用者の後側に位置する部分を指す（以下、同じ）。
【００１０】
ズボン本体２の膝に相当する部分には膝当て部３が設けられ、ズボン本体２の膝に対応する部分の強度を補強すると共に、着用者の膝の部分を保護するようになっている。しかるに着用者が膝をついて作業してもズボン本体２の破損が防止されるし、着用者の膝の部分が保護され作業がし易くなる。着用者が膝をついて作業すると、膝が痛くて長い作業は耐えがたい。従って、膝当て部３は、この痛さを緩和し長時間の作業を容易にする役目もある。その点からすると膝当て部３には、弾性を有するパッドを介在するのが好ましい。また、膝をついて作業すると、ズボン本体２の膝に対応する部分が、地面や床等と接触する回数が多くなるため、布地が薄くなったり、擦り切れたりする。この点からすると膝当て部３は補強材が好ましい。このような点から膝当て部３は、両者の機能を兼備する構成となっている。
【００１１】
また、ズボン本体２の裾５の部分は、長さ（丈）が前部より後部５ａが短くなっている。ズボン本体２の裾５の部分の後部５ａを前部より短くする構成に特に制限はない。例えば、図１に示すように前部と後部の中間より段付きにして後部を短くする構成、図３に示すように前部と後部の中間より傾斜させて順次短くする構成を例示することができる。この傾斜させて順次短くする構成は、前部より傾斜させて順次後部に短くする構成としてもよい。この考案で前部より後部に傾斜状に連続して順次短くするとは、この両者を含む意味である。
ズボン本体２の裾５の部分の後部５ａを、前部より短くする構成は、見るものに違和感を感じさせない構成が好ましい。その点では図３に示すような前部と後部の中間より傾斜させて順次短くする構成が好ましい。
【００１２】
図４は使用状態のズボンの裾部分を示す拡大側面図である。同図に示すようにズボン本体２の裾５の部分の後部５ａは短くなっているので、靴９の踵９ａの部分でズボン本体２の裾５の後部５ａを踏み付けることが無い。図３に示す実施の形態では前部より後部５ａが最大でｈだけ短くなっている場合を示している。
前記のようにこの考案でズボン本体２の裾５の後部５ａを短くするのは、着用したとき靴９の踵９ａの部分でズボン本体２の裾５の後部５ａを踏み付ける事態を防止するためである。従って、この考案でズボンの裾の後部５ａの長さを、前部より短くするとは、ズボンの長さ（丈）が着用者に合った標準の長さを基準にして前部より後部を短くする意味である。ズボンの裾の長さが、着用者に対し長かったり短いものを基準にはしない。例えば、着用者に対しズボンの裾の長さが長い場合には、ズボンの裾の後部を前部より短くしても、なお靴の踵で裾の後部を踏み付ける事態が生ずるからである。
【００１３】
また、ズボン本体２の上端４（腰相当位置）には、前部に胸当て部６が、後部には背当て部７が設けられている。これによりこの部分に対応する着衣の水濡れや汚染が防止されるし、この部分からズボン本体２内への水の浸入が防止される。
この胸当て部６と背当て部７との間には、１対の肩かけベルト８が設けられている。この肩かけベルト８の端部は、胸当て部６および背当て部７に固定されていてもよいが、少なくとも胸当て部６に対しては着脱可能となっているものが好ましい。着脱する手段としてはクリップやフック等を例示できる。この肩かけベルト８により着用した時オーバーズボン１が係止される。通常、オーバーズボン１には、ベルト挿通環１０が設けられ、ベルとや紐での締め付けも併用できるようになっている。
【００１４】
なお、前記実施の形態は、この考案を制限するものではなく、この考案は、要旨を逸脱しない範囲内において種々の変更が許容される。
【産業上の利用可能性】
【００１５】
この考案は、漁師や水産関係者をはじめ、農業、土木工事等の水に濡れる作業に従事する者が着用するオーバーズボンをはじめ、ズボンだけの作業衣、上着とズボンが連続する上下続き作業衣、等の水作業用作業衣に幅広く適用可能である。
【図面の簡単な説明】
【００１６】
【図１】この考案の実施の形態を示す後方より見た傾斜図である。
【図２】この考案の実施の形態を示す前方より見た斜視図である。
【図３】ズボンの裾部分を示す拡大側面図である。
【図４】使用状態のズボンの裾部分を示す拡大側面図である。
【図５】従来例を示す正面図（ａ）および背面図（ｂ）である。
【図６】従来例の使用状態のズボン裾部分を示す拡大斜視図である。
【図７】従来例の使用状態のズボン裾部分を示す一部断面拡大側面図である。
【符号の説明】
【００１７】
１  オーバーズボン（水作業用作業衣）
２  ズボン本体
５  ズボン本体の裾部分
５ａ  ズボン本体の裾部分の後部
９  靴
９ａ  靴の踵
【図１】
0003101706.tif 000003
【図２】
0003101706.tif 000004
【図３】
0003101706.tif 000005
【図４】
0003101706.tif 000006
【図５】
0003101706.tif 000007
【図６】
0003101706.tif 000008
【図７】
0003101706.tif 000009